(57)【要約】【課題】墓の購入によって葬儀から永代供養までの施行をパックとして施行することを生前予約することで、利用し易く、しかも電話を１本かけるだけで葬儀から永代供養までの施行を手数がかからず、安価に行なうことができる。【解決手段】  葬儀施行永代供養付墓販売システム１は、墓を販売する墓販売者１０と、葬儀を施行する葬儀社２と、納骨、永代供養を施行する霊園４と、墓の販売、葬儀、納骨及び永代供養に関する情報を管理する管理センター５とを有し、管理センター５は、墓販売者１０の墓の販売に伴い葬儀から永代供養の施行の生前予約をクライアント８と行ない、クライアント８により指定された指定人の生前予約の実行の依頼に基づき葬儀社２及び霊園４との間で情報の授受を行ない生前予約を実行する。【選択図】図１
2008097350.tif 000002
【特許請求の範囲】
【請求項１】
墓を販売する墓販売者と、
葬儀を施行する葬儀社と、
納骨、永代供養を施行する霊園と、
墓の販売、葬儀、納骨及び永代供養に関する情報を管理する管理センターとを有し、
前記管理センターは、
前記墓販売者の墓の販売に伴い葬儀から永代供養の施行の生前予約をクライアントと行ない、
前記クライアントにより指定された指定人の前記生前予約の実行の依頼に基づき前記葬儀社及び前記霊園との間で情報の授受を行ない前記生前予約を実行することを特徴とする葬儀施行永代供養付墓販売システム。
【請求項２】
建物が、
斎場を有する階と、
葬儀場を有する階と、
墓を有する階とを有し、
前記建物において、前記生前予約を実行することを特徴とする請求項１に記載の葬儀施行永代供養付墓販売システム。
【発明の詳細な説明】
【技術分野】
【０００１】
この発明は、墓の販売に伴い葬儀から永代供養の施行の生前予約を行なう葬儀施行永代供養付墓販売システムに関するものである。
【背景技術】
【０００２】
今まで、「死」を迎えてから、残された者達が悲しみの中でバタバタと慌ただしく葬儀に関する様々な手配をして葬儀を行ない、その後、墓に納骨し、永代供養を行なっている。
【０００３】
このため、出願人は、先に葬儀から永代供養までの施行をパックとして施行することを生前予約することで、家の跡取りでない人、独身者、障害者の子供の両親等に利用し易く、しかも電話を１本かけるだけで葬儀から永代供養までの施行を手数がかからず、安価に行なうことができる生前予約システムを提供した（特許文献１）。
【特許文献１】特開２００２−５６１１９
【発明の開示】
【発明が解決しようとする課題】
【０００４】
ところで、最近、特に都会では、もちろん地価の関係もあるが、小さな墓を買うにも墓地の使用料・管理料・墓石等々が高価であるため、なかなか墓を購入することができない。また、少子化によって葬儀から永代供養までを行う後継者がいないことがあるが、後継者がいないと同じ墓に納骨できない場合がある。また、無宗教化が進んでいるが、檀家にならないと、同じ墓に納骨できない場合がある。また、高齢者の人口が増加し、特に都会では墓不足が生じ、墓地の価格が高騰している。
【０００５】
このような現状にあるが無縁墓、無縁仏になりたくないというユーザの強い要望があり、生前に安価に墓の購入ができ、しかも死後の葬儀から永代供養まで電話一本で実行できれば、残される者に大きな負担をかけることがない。
【０００６】
この発明は、かかる点に鑑みてなされたもので、墓の購入によって葬儀から永代供養までの施行をパックとして施行することを生前予約することで、利用し易く、しかも電話を１本かけるだけで葬儀から永代供養までの施行を手数がかからず、安価に行なうことができる葬儀施行永代供養付墓販売システムを提供することを目的としている。
【課題を解決するための手段】
【０００７】
前記課題を解決し、かつ目的を達成するために、この発明は、以下のように構成した。
【０００８】
請求項１に記載の発明は、
『墓を販売する墓販売者と、
葬儀を施行する葬儀社と、
納骨、永代供養を施行する霊園と、
墓の販売、葬儀、納骨及び永代供養に関する情報を管理する管理センターとを有し、
前記管理センターは、
前記墓販売者の墓の販売に伴い葬儀から永代供養の施行の生前予約をクライアントと行ない、
前記クライアントにより指定された指定人の前記生前予約の実行の依頼に基づき前記葬儀社及び前記霊園との間で情報の授受を行ない前記生前予約を実行することを特徴とする葬儀施行永代供養付墓販売システム。』である。
【０００９】
請求項２に記載の発明は、
『建物が、
斎場を有する階と、
葬儀場を有する階と、
墓を有する階とを有し、
前記建物において、前記生前予約を実行することを特徴とする請求項１に記載の葬儀施行永代供養付墓販売システム。』である。
【発明の効果】
【００１０】
前記構成により、この発明は、以下のような効果を有する。
【００１１】
請求項１に記載の発明では、墓を購入することで、葬儀から永代供養までの施行をパックとして施行することを生前予約することで、死後は電話を１本かけるだけで葬儀から永代供養までの施行を手数がかからず、安価に行なうことができ、しかも事前に総費用がわかる等利用し易い葬儀施行永代供養付墓販売システムである。
【００１２】
請求項2に記載の発明では、建物が、斎場を有する階と、葬儀場を有する階と、墓を有する階とを有し、建物において、安価に葬儀から永代供養までの生前予約を実行することができ、安価な葬儀施行永代供養付墓販売システムである。
【発明を実施するための最良の形態】
【００１３】
以下、この発明の葬儀施行永代供養付墓販売システムの実施の形態を図面に基づいて説明するが、この発明はこの実施の形態に限定されるものではない。
【００１４】
図１は葬儀施行永代供養付墓販売システムの概略構成を示す図、図２は葬儀施行永代供養付墓販売システムの内容を示す図、図３は葬儀施行永代供養付墓販売システムのフロー図、図４は葬儀施行永代供養付墓販売システムの施行内容を説明する図、図５は墓の購入に伴う入会申込書を示す図、図６は指定人の同意書を示す図、図７は密葬施行依頼書を示す図である。
【００１５】
この実施の形態の葬儀施行永代供養付墓販売システム１は、墓を販売する墓販売者１０と、葬儀を施行する葬儀社２と、納骨、永代供養を施行する霊園４と、墓の販売、葬儀、納骨及び永代供養に関する情報を管理する管理センター５と、墓の販売に関する情報と、葬儀施行依頼書等の葬儀に関する情報と、葬儀を施行する葬儀社に関する情報と、納骨、永代供養の施行に関する情報を有するサーバ６とをインターネット７で接続したものである。
【００１６】
この実施の形態では、管理センター５がインターネット７によって墓販売者１０、葬儀社２及び霊園４と、墓の販売、葬儀、納骨及び永代供養に関する情報の授受を行なっているが、インターネット７に限定されず、他の通信回線、例えば電話、ファクシミリ、さらには郵便などの手段で情報の授受を行なってもよい。
【００１７】
墓販売者１０が墓をクライアント８へ販売すると、この墓の販売に伴い管理センター５は、葬儀、納骨及び永代供養の施行の生前予約をクライアント８と行なう。この生前予約でクライアント８は、生前予約の実行を依頼する指定人９を指定する。
【００１８】
この葬儀施行永代供養付墓販売システムの内容は、販売する墓の形態によって異なったものにすることができる。例えば、図２（ａ）に示すように、一般の区画の墓の販売によって、クライアント８が病院などで死亡すると、搬送、火葬の葬儀を行い、そして納骨式を行って一般の区画の墓へ納骨し、永代供養を実行する生前予約する。この一般の区画の墓は、霊園が販売者として販売し、管理することが多い。
【００１９】
また、図２（ｂ）に示すように、家族墓碑墓の販売によって、搬送、火葬の葬儀から納骨式を行って家族墓碑墓への納骨、永代供養を実行する生前予約する。この家族墓碑墓は、墓を守る人がいない場合や跡継ぎがいても例えば海外にいたり、定期的に供養ができない方々のために、区画の墓ではなく、しかも遺骨が他人と同じ共同墓では受け入れられない人には、「のど仏」だけを納められる「個人の家」としての場所を生前に決められる。
【００２０】
また、図２（ｃ）に示すように、共同墓の販売によって、搬送、火葬の葬儀から納骨式を行って共同墓への納骨、永代供養を実行する生前予約がある。この共同墓は、墓を守る人がいない場合や、遺骨が他人と一緒でもこだわらないが、無縁仏になるのは困るという方々のために好ましく利用できる。
【００２１】
これらの生前予約において、葬儀は、密葬でもよく、また後に偲ぶ会を行って納骨式を行い納骨するようにしてもよい。
【００２２】
クライアント８により指定された指定人９は、クライアント８が死亡すると生前予約の実行を管理センター５に依頼する。管理センター５は、指定人９からのクライアント８の生前予約の実行依頼に基づき葬儀社２及び霊園４との間で通信手段であるインターネット７を介して情報の授受を行ない生前予約を実行する。
【００２３】
この生前予約は、例えば斎場を有する階と、葬儀場を有する階と、墓を有する階とを有する建物１１において実行することができ、建物１１は、さらに会食場、駐車場、事務室などを有していることが好ましく、建物１１において安価に葬儀から永代供養までの生前予約を実行することができる。この生前予約は、建物１１の別の階に斎場、葬儀場、墓を有することが好ましく、墓は複数階に備えることが好ましい。また、生前予約は、同じ建物において実行する場合に限定されず、それぞれ自宅などで葬儀を行い、斎場で火葬し、霊園の墓に納骨し、永代供養するようにしてもよい。また、この実施の形態では、葬儀は密葬としているが、密葬に限定されない。
【００２４】
以下、生前予約の手続き、実行を詳細に説明する。
【００２５】
管理センター５とクライアント８との生前予約は、墓販売者１０が墓をクライアント８に販売することによって行われる。墓販売者１０は、墓の販売に伴い図５に示す入会申込書をクライアント８に渡し、クライアント８が入会申込書に契約者の氏名などの所定事項を記入し、入会することで生前予約が成立する。
【００２６】
クライアント８は、図５に示す入会申込書に基づき入会し、生前予約の費用を支払い、月会費を支払う。この生前予約で、クライアント８は、生前予約でクライアント８が死亡した際に生前予約の実行を管理センター５に依頼する指定人９を指定する。指定人９は、法定相続人で家族、親族等になるが、これに限定されないが、図６に示す指定人の同意書を管理センター５に送る。
【００２７】
生前予約は、会に入会する形式で行なわれ、クライアント８の入会と同時に、入会証書、カード、墓碑に名前を刻んだ写真、納骨の場所確保位置図が発行される。臨終の場所は、全国どこでも、２４時間、３６５日対応することが可能である。
【００２８】
クライアント８により入会時に指定された指定人９は、図３及び図４に示すように、クライアント８が死亡すると、管理センター５に生前予約の実行の依頼を行なう。管理センター５は、生前予約に基づき、サーバ６の密葬を施行する葬儀社２に関する情報から葬儀社２を選択して手配する。
【００２９】
指定された葬儀社２は、図７に示す密葬施行依頼書を指定人９に提出し、所定事項を記入して貰い、あるいは記入し、受注報告書に記入して管理センター５へ報告する。
【００３０】
管理センター５は、密葬施行依頼書に記入された情報をコンピュータ等に入力して管理し、通夜料理、会葬返礼品、ハイヤー等の手配を行なう。
【００３１】
指定された葬儀社２は、臨終から搬送、安置、通夜、火葬の密葬を施行し、この密葬が終了すると、密葬の終了情報を管理センター５へ送る。そして、葬儀社２は、管理センター５に対して費用の請求を行ない、管理センター５は、請求された費用を葬儀社２に支払う。
【００３２】
密葬を施行後に、管理センター５は、サーバ６の永代供養を施行する霊園４に関する情報から霊園４を選択して手配し、霊園４との打ち合わせを行ない、遺骨搬送の日程を指定人９に連絡する。指定人９は、遺骨を霊園４に搬送する手配をして搬送し、管理センター５は遺骨搬送費を指定人９に支払う。
【００３３】
納骨式は、霊園４の立会いの下で、納骨式を営み、お骨の小を納骨壇に俗名又は、戒名のプレートを納め、お骨の大をカロートに納骨する。納骨は、一人一人の遺骨を納骨室に納め、その他の遺骨はお墓の下のカロートに一人一人納骨され、また名前等を刻んだ御影石製の墓誌も一人一人並ぶ。納骨式や供養は、各宗旨に沿って行なわれる。仏教、神式の場合は、お彼岸に供養を、キリスト教は復活祭、降誕祭にそれぞれ行なう。
【００３４】
霊園４は、追加報告・請求等を管理センター５に行ない、管理センター５は霊園４に対して支払を行なう。
【００３５】
永代供養は、霊園４で宗旨毎に年２回執り行う。仏式、神式の場合は、春、秋のお彼岸に住職、神主による供養参りを行なう。キリスト教の場合は、春の復活祭、冬の降誕祭に牧師、神父によるお祈りを行なう。無宗教の場合は、４月、１０月に花を捧げて慰霊祭を行なう。
【００３６】
このように、この発明では、墓を購入することで、葬儀から永代供養までの施行をパックとして施行することを生前予約することができ、死後は電話を１本かけるだけで葬儀から永代供養までの施行を手数がかからず、安価に行なうことができ、しかも事前に総費用がわかる等利用し易い。
【００３７】
また、建物１１が、斎場を有する階と、葬儀場を有する階と、墓を有する階とを有しており、このような建物１１において安価に葬儀から永代供養までの生前予約を実行することができる。
【産業上の利用可能性】
【００３８】
この発明は、墓の販売に伴い葬儀から永代供養の施行の生前予約を行なう葬儀施行永代供養付墓販売システムに適用でき、墓の購入によって葬儀から永代供養までの施行をパックとして施行することを生前予約することで、利用し易く、しかも電話を１本かけるだけで葬儀から永代供養までの施行を手数がかからず、安価に行なうことができる。
【図面の簡単な説明】
【００３９】
【図１】葬儀施行永代供養付墓販売システムの概略構成を示す図である。
【図２】葬儀施行永代供養付墓販売システムの内容を示す図、
【図３】葬儀施行永代供養付墓販売システムのフロー図である。
【図４】葬儀施行永代供養付墓販売システムの施行内容を説明する図である。
【図５】入会申込書を示す図である。
【図６】指定人の同意書を示す図である。
【図７】密葬施行依頼書を示す図である。
【符号の説明】
【００４０】
１  葬儀施行永代供養付墓販売システム
２  葬儀社
４  霊園
５  管理センター
６  サーバ
７  インターネット
８  クライアント
９  指定人
１０  墓販売者
１１  建物
【図１】
2008097350.tif 000003
【図２】
2008097350.tif 000004
【図３】
2008097350.tif 000005
【図４】
2008097350.tif 000006
【図５】
2008097350.tif 000007
【図６】
2008097350.tif 000008
【図７】
2008097350.tif 000009